(57)【特許請求の範囲】
【請求項１】
コイン送り出し用の回転ディスク(A)と、
この回転ディスクが内底部に傾斜設置され、かつ前記回転ディスクの上面の前方に位置してコインが前記回転ディスク側へ自重で滑落するよう傾斜する底壁(43)上にコイン保留部(D)を構成する主ボウル(40)と、
前記主ボウルに隣接すると共に前記底壁の下側にも位置する補助コイン保留部(53)を構成する補助コイン保留体(51)と、
前記補助コイン保留部(53)から前記回転ディスク(A)側に循環移動され、かつ、前記補助コイン保留体(51)の下方部に形成された補助コイン供給口（51Ｖ、60Ｖ）を介してコインを無端帯状の内面で受け取り保持して前記回転ディスク(A)より上方の位置に設置した受渡装置(E)に送る無端帯状コイン搬送装置(C)と、
前記無端帯状コイン搬送装置(C)が回転案内されるように設けられている案内溝（60Ａ、60Ｂ）と、
前記無端帯状コイン搬送装置(C)から受け取ったコインを前記コイン保留部(D)へ送る前記受渡装置(E)とを含み、
前記受渡装置(E)は、前記主ボウル（40）、前記補助コイン保留体（51）などを収容するハウジング（60）の壁面から突設した円筒状の軸受（95）に回転自在に外嵌めした円形の筒体であって、その外周部には複数の区割形成された保持空間（94）を有し、かつ前記無端帯状コイン搬送装置（Ｃ）がその垂立側部から上部に巻回されて前記無端帯状コイン搬送装置と共に回転することによって前記保持空間にコインを保持して移送する檻型構造の回転かご(90)と、
前記軸受（95）の上部周面を窪ませて形成したシュート（91）とより構成され、
前記回転かごと前記無端帯状コイン搬送装置の共同回転によりコインが前記保持空間に保持されて前記上部周面の窪みの位置に来たときに、当該コインを前記保持空間（94）から前記シュート（91）に落下可能となるようにすると共に、前記シュート（91）の底面（91Ｂ）を当該落下コインが滑落し前記コイン保留部（Ｄ）へと導入し得るように傾斜して形設し、
前記回転かごと前記無端帯状コイン搬送装置と共同して前記補助コイン保留部から前記シュートへコインを搬送し、前記コイン保留部に循環供給することを特徴とするコインホッパ。
【請求項２】
前記無端帯状コイン搬送装置(C)は、内面に所定間隔でコインを引っかける突条(79)を有している請求項１のコインホッパ。
【請求項３】
前記無端帯状コイン搬送装置(C)は、クローラ(70)である請求項２のコインホッパ。
【請求項４】
前記コイン保留部(D)のコイン量検知装置(44)を備え、前記コイン量検知装置(44)のコイン供給信号に基づいて前記無端帯状コイン搬送装置(C)を作動する制御装置を有する請求項１のコインホッパ。
【発明の詳細な説明】
【０００１】
【発明が属する技術分野】
本発明は、投入されたバラ積み状態のコインを一個ずつ強制的に送り出すためのコインホッパに関する。
特に、本発明はゲーム機に使用されるメダルやトークンを一個ずつ送り出すことができるコインホッパに関する。
更に具体的には、大量のメダルやトークンを使用するゲーム機に好適な、限られたスペース内のコイン収納量が多いコインホッパに関する。
【０００２】
【従来の技術】
本発明の説明において、コイン、メダル、トークン等を総称して「コイン」という。
この種のコインホッパとしては、米国特許明細書第５１９０４９５号に開示された技術が知られている。
【０００３】
従来技術を図１０に基づいて説明する。
１はコインホッパであって、２は斜めに固定された基板、３は基板２に隣接して設けられた公知の回転ディスクであり、その軸線４は傾斜している。
回転ディスク３は、基板２を貫通する減速機１７の出力軸６に固定されている。
減速機１７は、モータ５により駆動される。
回転ディスク３には、１つのコインが通過できる整列孔７が等間隔で複数設けてある。
前記整列孔７を通過したコインは、回転ディスク３下面のポケット８に保持され、所定位置で一個ずつ払い出される。
９は、回転ディスク３と同心状に基板２に固定した円筒状の保持体である。
【０００４】
円筒状のシリンダ１０が、前記保持体９に隣接して回転可能に設けてある。シリンダ１０は、前記軸線４が内部に位置するよう傾斜している。シリンダ１０の内周面は、掻き混ぜ片１１Ａ、１１Ｂが突設してある。シリンダ１０は、外周面に形成した歯車１２がモータ１３の出力軸に固定した歯車１４と噛み合っており、適宜回転される。１５は、シリンダ１０に隣接して固定配置したコインボウルである。コインボウル１５に投入されたコインは、量が多いときはシリンダ１０の中空部を通過して保持体９に到達する。その後、回転ディスク３の回転により整列孔７を通過したコインが一個ずつ払い出される。コインの量が少なくなると、シリンダ１０の回転により掻き混ぜ片１１Ａ、１１Ｂなどにより掻き上げられたコインが、シリンダ１０が傾いていることにより保持体９に落下する。その後、前述のように回転ディスク３の回転により１個ずつ払い出される。
【０００５】
前記装置によれば、以下のメリットがある。
第１に、コインがブリッジを形成したために回転ディスク３がコインを払い出せなくなった場合、モータ１３を回転させることによりシリンダ１０を回転動させると、コインのバランスが崩れてブリッジを解消できる。
第２に、シリンダ１０の底面を回転ディスク３よりも下方に配置できるから、コインの収納量を増加することができる。
【０００６】
しかし、この装置は次のデメリットがある。すなわち、コインボウル１５に投入されたバラ積み状態のコインは、全てシリンダ１０を通って、保持体９、次いで回転ディスク３に順次移動する。このため、コインボウル１５が満杯状態のときにはシリンダ１０内も満杯である。この状態でシリンダ１０を回転させようとすると、シリンダ１０にはその内部のコインの重量の他、コインボウル１５内のコインの重量も加わっているため各部の回転抵抗が大きく、トルクの大きなモータを使わねばならない。これにより、コインが満杯の高負荷状態で作動可能なモータを選定せねばならず、ランニングコストが高くなるとともに、イニシャルコストも高くつく。
【０００７】
【発明が解決しようとする課題】
本発明の第１の目的は、コインボウルの容量を大幅に増加してもコインブリッジが発生しないコインホッパを提供することである。
第２の目的は、ランニングコスト及びイニシャルコストを低く抑えることができるコインホッパを提供することである。
第３の目的は、無端帯状コイン搬送装置からコイン送り出し装置へのコインの受け渡しを確実に行うことである。
【０００８】
コイン送り出し用の回転ディスクと、
この回転ディスクが内底部に傾斜設置され、かつ前記回転ディスクの上面の前方に位置してコインが前記回転ディスク側へ自重で滑落するよう傾斜する底壁上にコイン保留部を構成する主ボウルと、
前記主ボウルに隣接すると共に前記底壁の下側にも位置する補助コイン保留部を構成する補助コイン保留体と、
前記補助コイン保留部から前記回転ディスク側に循環移動され、かつ、前記補助コイン保留体の下方部に形成された補助コイン供給口を介してコインを無端帯状の内面で受け取り保持して前記回転ディスクより上方の位置に設置した受渡装置に送る無端帯状コイン搬送装置と、
前記無端帯状コイン搬送装置が回転案内されるように設けられている案内溝と、
前記無端帯状コイン搬送装置から受け取ったコインを前記コイン保留部へ送る前記受渡装置とを含み、
前記受渡装置は、前記主ボウル、前記補助コイン保留体などを収容するハウジングの壁面から突設した円筒状の軸受に回転自在に外嵌めした円形の筒体であって、その外周部には複数の区割形成された保持空間を有し、かつ前記無端帯状コイン搬送装置がその垂立側部から上部に巻回されて前記無端帯状コイン搬送装置と共に回転することによって前記保持空間にコインを保持して移送する檻型構造の回転かごと、
前記軸受の上部周面を窪ませて形成したシュートとより構成され、
前記回転かごと前記無端帯状コイン搬送装置の共同回転によりコインが前記保持空間に保持されて前記上部周面の窪みの位置に来たときに、当該コインを前記保持空間から前記シュートに落下可能となるようにすると共に、前記シュートの底面を当該落下コインが滑落し前記コイン保留部へと導入し得るように傾斜して形設し、
前記回転かごと前記無端帯状コイン搬送装置と共同して前記補助コイン保留部から前記シュートへコインを搬送し、前記コイン保留部に循環供給することを特徴とするコインホッパとしたものである。
【０００９】
このコインホッパにおいて、コイン送り出し用の回転ディスク上に載せるコインは、無端帯状コイン搬送装置によって補助コイン保留部からコイン保留部へ送られる。
すなわち、無端帯状コイン搬送装置の作動を制御することにより回転ディスクに供給するコイン量を調整できる。
【００１０】
よって、回転ディスク上にブリッジが発生しない程度のコイン量が存在するように制御することにより、コインブリッジは発生することがない。
また、無端帯状コイン搬送装置は、補助コイン保留部から供給される一部のコインのみを搬送すればよいので、駆動力が少なくて良く、イニシャルコスト、ランニングコストを低減できる。
【００１１】
さらにまた、前述のように回転ディスク上に全てのコインが存在することが無いので、大容量のモータを採用せずとも良い。
したがって、大容量のモータを使用しないので装置のイニシャルコスト及びランニングコストが減少する。
また、コイン保留部に隣接する補助コイン保留部にコインを保留することができるので、コインホッパ全体としての保留部の容量を増加できる。
特に、コイン保留部の下方のスペースを使用する場合、大幅に容量を増加できる。
【００１２】
また、受渡装置は保持空間を備えた回転かごを有し、前記無端帯状コイン搬送装置と共同してコインを搬送するので、コインは保持空間に保持されつつ搬送される。
これにより、コインの受け渡しを確実に行うことができる。
【００１３】
また、無端帯状コイン搬送装置は、内面に所定間隔でコインを載置する突条を有することが好ましい。
この構成によれば、無端帯状コイン搬送装置の突条にコインを引っかけて搬送するので、コインを確実に搬送することができる。
したがって、コイン保留部のコイン量の不足を生じることなく、連続してコインを送り出すことが出来る。
【００１４】
また、無端帯状コイン搬送装置は、クローラであることが好ましい。
この構成によれば、同一構造のクローラ片を所定個数連鎖することにより無端帯状コイン搬送装置を構成できるので、安価に製造することができる。
【００１５】
また、受渡装置は、回転かごの保持空間の下方に、コイン保留部側へ下降する傾斜面を有するシュートであることが好ましい。この構成によれば、シュートに落下したコインは自重で滑落してコイン保留部へ達する。したがって、傾斜面を配置するだけで良いので安価に製造することができ、かつ、ランニングコストも不要である。
【００１６】
さらに、コイン保留部のコイン量検知装置を備え、前記検知装置のコイン供給信号に基づいて無端帯状コイン搬送装置を作動する制御装置を有することが好ましい。
この構成によれば、コイン保留部のコイン量が所定量以下になったことをコイン量検知装置によって検知して無端帯状コイン搬送装置を作動する。
したがって、回転ディスク上のコインが無い状態でホッパが作動することがない。
【００１７】
【発明の実施の形態】
図１は実施例全体を斜め上方から見た斜視図。図２は実施例の平面図。図３は図２のＸ−Ｘ線断面図、図４は実施例の無端帯状コイン搬送装置と回転かごを分離した状態の斜視図。図５は図２のＹ−Ｙ線断面図。図６は実施例の受渡装置部の拡大断面図。図７は実施例のハウジングを分離した状態の斜視図。図８は実施例のクローラの拡大図、図９は実施例の制御装置である。
【００１８】
２０はコインホッパであり、ゲーム機等に内蔵される。
２１は基板である。
基板２１の上面には、一対の直角三角状板２２（図３及び図７）を所定の間隔を開けて固定してある。
これら直角三角状板２２の斜面にあてがって支持基板２４を固定してある。
したがって、支持基板２４は傾斜した状態で取り付けられている。
【００１９】
回転軸２５は、支持基板２４の裏面側に固定した減速機２６の出力軸である。前記減速機２６は、後述のモータ２７により駆動される。
回転軸２５は、支持基板２４に対し軸線が直交するよう配置してある。
回転軸２５の上端部に回転ディスクＡが固定されている。
【００２０】
次に回転ディスクＡの構成を説明する。
回転ディスクＡは、等間隔で複数形成された整列孔３０を有する傾斜状態に配置された傾斜回転ディスク３１である。
傾斜回転ディスク３１の整列孔３０の背面（裏面）にはコインを受け入れ、かつ、所定位置で送り出すためのポケット（図示せず）が形成してある。
この傾斜回転ディスク３１は、公知の構造である。
【００２１】
支持基板２４にバケツ状の主ボウル４０を固定してある。
すなわち、主ボウル４０の円形開口４１内に傾斜回転ディスク３１が位置する状態で主ボウル４０を支持基板２４に取り付けてある。
主ボウル４０の上側側壁にコインを供給する開口４２が形成してある。
主ボウル４０内がコイン保留部Ｄである。
主ボウル４０の底壁４３は、コインが傾斜回転ディスク３１側へ自重で滑落するよう傾斜している。
【００２２】
次にコイン量検知装置４４を説明する。
第１電極４４Ｍは、主ボウル４０の底壁４３の傾斜回転ディスク３１の近傍に固定してある。
第２電極４４Ｐは、第１電極４４Ｍの上方の主ボウル４０の側壁に固定してある。
矩形漏斗状の増量ボウル４５の下端部４５Ｌは、主ボウル４０の開口４２内に挿入し、スクリュウ４６等で固定してある。
【００２３】
この増量ボウル４５は、図３に図示するように傾斜回転ディスク３１の上方へ伸びており、傾斜回転ディスク３１上方のデッドスペースをコインの保留に活用している。
この増量ボウル４５の底壁４５Ｂは、コインが自重で自然滑落するよう傾斜している。
傾斜回転ディスク３１に相対した主ボウル４０及び増量ボウル４５に隣接して補助コイン保留体５１を配置してある。
補助コイン保留体５１は、上面が開口している四角筒状である。
上面の開口がコイン投入口５２であり、内部が補助コイン保留部５３である。
【００２４】
補助コイン保留体５１の側壁５１Ｆの開口５４に主ボウル４０の先端部が臨んでいる。
補助コイン保留体５１の底壁５１Ｂの端部は、主ボウル４０の底壁４３に当接してコインが漏れ出ないようにしてある。
したがって、補助コイン保留部５３は、補助コイン保留体５１と主ボウル４０及び増量ボウル４５とで画定されている。
この構成により、主ボウル４０に隣接する下方もコイン保留部として活用するので、限られたスペースに多くのコインを保留することができる。
【００２５】
補助コイン保留体５１の無端帯状コイン搬送装置Ｃ側の壁面には、補助コイン供給口５１Ｖが開口している。
補助コイン保留体５１の底壁５１Ｂは、この補助コイン供給口５１Ｖに向かってコインが自然に滑落するよう傾斜している。
増量ボウル４５の補助コイン保留体５１側の開口４５Ｖの反対側に、増量ボウル４５の側壁の開口４５Ｖと補助コイン保留体５１の開口５１Ｈを貫通する樋状のオーバーフローシュート４７を配置してある。
【００２６】
このオーバーフローシュート４７は、板状体をチャンネル状に折り曲げて形成してあり、上端部を増量ボウル４５の側壁に固定してある。
オーバーフローシュート４７の傾斜底板４７Ｂは、増量ボウル４５側から補助コイン保留体５１側に向かって下降している。
傾斜底板４７Ｂの下端部４７Ｌは、補助コイン保留部５３に位置している。
【００２７】
オーバーフローシュート４７の上端部４７Ｕは、増量ボウル４５内に位置している。
したがって、オーバーフローシュート４７の上端部４７Ｕよりも上位に堆積したコインの一部は、傾斜底板４７Ｂに滑落する。
傾斜底板４７Ｂ上に落下したコインは、傾斜底板４７Ｂ上を滑落して補助コイン保留部５３に落下する。
【００２８】
次に無端帯状コイン搬送装置Ｃの構造を図５、図６を参照して説明する。
無端帯状コイン搬送装置Ｃは、矩形鍋型のハウジング６０と、これに填り合う同形状鍋型の蓋６１により構成されるケース６３内に配置されている。
【００２９】
ハウジング６０は、傾斜回転ディスク３１の側方において、増量ボウル４５の開口４５Ｖにあてがった状態で補助コイン保留体５１、直角三角形板２２等に固定してある。したがって、増量ボウル４５の増量保留部４５Ａは、増量ボウル４５とハウジング６０とにより画定されている。
【００３０】
ハウジング６０の内壁面に、補助コイン供給口５１Ｖに相対する補助コイン供給口６０Ｖと、前記無端帯状コイン搬送装置としてのクローラ７０の第１案内溝６０Ａが形成してある。
第１案内溝６０Ａは図６に図示するように、断面矩形状であり、その幅は後述の第１ガイドピン７８Ａが容易に進行できる大きさである。
【００３１】
第１案内溝６０Ａは、補助コイン供給口６０Ｖの下方位置の下方水平部７０Ａと、傾斜回転ディスク３１とほぼ平行な傾斜部７０Ｂと、後述の受渡装置Ｅ上方の上方水平部７０Ｃと、上方水平部７０Ｃと下方水平部７０Ａとをつなぐ垂直部７０Ｄとよりなっている。
【００３２】
前記各部７０Ａ、７０Ｂ、７０Ｃ、７０Ｄは、弧状部７０Ｅ、７０Ｆ、７０Ｇ、７０Ｈでそれぞれ結ばれている。
弧状部７０Ｇは、他の溝部よりも幅を大きくしてある。
この理由は、後述のクローラ７０の長さにばらつきが発生しても全てのガイドピン７０Ａが第１案内溝６０Ａ内に位置するよう、第１案内溝６０Ａに所定範囲の周長を持たせるためである。
【００３３】
図６に図示するように、蓋６１の内面に前記第１案内溝６０Ａと相対した形状の第２案内溝６０Ｂが形成してある。
蓋６１は、ハウジング６０の外側に填め合わせ、適宜位置でハウジング６０に固定してある。
【００３４】
次にクローラ７０の構造を、図８を参照して説明する。
クローラ７０は、同一形状のクローラ片７１を連鎖することにより無端帯状に構成してある。
クローラ片７１は、外面中央にラック歯７２Ａが４個形成してある。
【００３５】
クローラ片７１の下端部のラック歯７２Ａを挟んだ両端から第１支持片７３Ａと第２支持片７３Ｂが突出している。
これにより、下端部のラック歯７２Ａの両側に、第１凹部７４Ａと第２凹部７４Ｂが形成されている。
【００３６】
第１支持片７３Ａとラック歯７２Ａの先端部間、すなわち、第１凹部７４Ａに丸棒状の第１係合棒７５Ａが位置している。
第２支持片７３Ｂとラック歯７２Ａの先端部間、すなわち、第２凹部７４Ｂに丸棒状の第２係合棒７５Ｂが位置している。
【００３７】
クローラ片７１の上方端部のラック歯７２Ａの両側から第１係止片７６Ａと、第２係止片７６Ｂが突出している。
第１係止片７６Ａの先端部には、外向きに開口するＵ字状の第１係止溝７７Ａが形成されている。
【００３８】
第２係止片７６Ｂの先端部には、外向きに開口するＵ字状の第２係止溝７７Ｂが形成されている。
第１支持片７３Ａと第２支持片７３Ｂから、第１ガイドピン７８Ａと第２ガイドピン７８Ｂが、それぞれ第１係合棒７５Ａ、第２係合棒７５Ｂの延長上にあるよう突出している。
【００３９】
突条７９が、クローラ片７１の下端部からクローラ７０の内方に向かって突出している。
突条７９は、ラック歯７２Ａの列方向に対して直交する方向にクローラ片７１の幅一杯に形成されている。
【００４０】
また、突条７９の突出量は、使用が想定されるコインの最小厚みよりも小さい。
傾斜部７０Ｂにおいて、突条７９は上向きのコイン載置面を形成する。
すなわち、前記傾斜部７０Ｂにおいて突条７９に１枚のコインのみが係止されるよう設定してある。
クローラ片７１は、例えば樹脂により射出成形する。
樹脂で成形することにより、安価に製造できる。
【００４１】
クローラ片７１を連鎖して所定周長のクローラ７０を構成する。
すなわち、第１係止片７６Ａの第１係止溝７７Ａに第１係合棒７５Ａを、第２係止片７６Ｂの第２係止溝７７Ｂに第２係合棒７５Ｂを填め込む。
【００４２】
これにより、クローラ片７１の連鎖体が構成できる。
このクローラ片７１の連鎖を連続して所定周長のクローラ７０を構成する。
また、ラック歯７２Ａは、外周面に連続してラック７２を構成する。
【００４３】
クローラ７０は、全ての第１ガイドピン７８Ａをハウジング６０の第１案内溝６０Ａに挿入する。
次に、蓋６１の第２案内溝６０Ｂに全ての第２ガイドピン７８Ｂを挿入した状態で蓋６１をハウジング６０に填め合わせて後、蓋６１をスクリュウ等でハウジング６０に固定する。
【００４４】
次にクローラ７０の駆動装置を図７を参照して説明する。
駆動体８０はハウジング６０の傾斜回転ディスク３１側の側壁に固定してある。駆動体８０は、モータ８０Ｍと減速機８０Ｒとより構成してある。
減速機８０Ｒの駆動軸８０Ｓは、ハウジング６０の壁を貫通してハウジング６０内に突出している。
【００４５】
駆動軸８０Ｓには駆動ギヤ８１が固定されている。
ハウジング６０に固定した軸８２に回転自在に支持したギヤ８３は、前記駆動ギヤ８１と噛み合っている。
ギヤ８３は、前記駆動ギヤ８１及び前記クローラ７０背面のラック７２と噛み合っている。
ギヤ８３の時計回り方向の回転により、ラック７２を介してクローラ７０は反時計回り方向に循環する。
【００４６】
次に受渡装置Ｅを図４、図５、図６を参照して説明する。受渡装置Ｅは、増量ボウル45の底壁45Bの側方に位置するクローラ70の弧状部７０Ｆ部に配置した回転かご９０と樋状のシュート９１を含んでいる。回転かご９０は、リング状の第１支持枠９２Ａと第２支持枠９２Ｂ間に所定の間隔で仕切板９３を固定することにより、それらで囲んだ保持空間９４を複数有する円筒檻型に構成してある。第１支持枠９２Ａと第２支持枠９２Ｂの間隔及び仕切板９３の間隔は、使用が想定される最大コインの直径よりも僅かに大きく設定してある。
【００４７】
すなわち、使用が想定される最大コイン１個が、この保持空間９４内に収まる大きさに設定してある。９５は、ハウジング６０の壁面から横向きに突出する円筒状の軸受である。回転かご９０は、軸受９５に回転自在に嵌合してある。詳述すれば、第１支持枠９２Ａと第２支持枠９２Ｂの内孔が軸受９５に回転自在に嵌合されている。ここで、後述するように軸受９５の上部周面の上方水平部７０Ｃに相対する部分は窪ませられている。また軸受９５に嵌合した回転かご９０において、弧状部７０F部分での保持空間９４の内面側は、前述の窪んだ部分以外の軸受９５の外周面で覆われ、外周面はクローラ片７１によって覆われるようになる。したがって保持空間９４に保持されたコインは、前述の窪んでいる部分以外の軸受９５の周面として存在する部分においては、その軸受周面に案内されて保持空間９４と共に移動される。この間隔は、クローラ７０の第１ガイドピン７８Ａ（第２ガイドピン７８Ｂ）の間隔と同一である。
【００４８】
また、凹部９２Ｃは、第１ガイドピン７８Ａ又は第２ガイドピン７８Ｂが緩く進入できる大きさである。
弧状部７０Ｆにおいて、クローラ７０の複数の第１ガイドピン７８Ａは第１支持板９２Ａの凹部９２Ｃに進入し、複数の第２ガイドピン７８Ｂは第２支持板９２Ｂの凹部９２Ｃに進入している。（図４においては４本）
したがって、回転かご９０は、クローラ７０の循環移動によって軸受９５の周囲を反時計回り方向に回転される。
【００４９】
シュート９１は、図４、図５、図６などに図示するように軸受９５の上方の上方水平部７０Ｃに面する部位を円筒の中心部に向かって矩形状に窪ませることにより樋状に形成してある。換言すれば、シュート９１が形成された軸受９５の周面部分は保持空間９４から離れて位置するシュート９１の傾斜底面９１Bを構成する。これにより、軸受９５の上端部において、保持空間９４に保持されたコインは、軸受９５の上部周面を窪ませて形成してあるシュート９１の箇所に来た時、ここでコインを支えていた軸受９５の外周面が無くなるので、自重で保持空間９４からシュート９１に落下可能になる。シュート９１の傾斜底面９１Bは、増量ボウル４５の底壁４５Ｂ側に下降し、かつ、補助コイン保留体５１側へ下降する傾斜を有する。シュート９１の増量ボウル４５側端部は、底壁４５Ｂ上方の増量保留部４５Ａに位置しているハウジング６０の開口９６である。したがって、保持空間９４から落下したコインはシュート９１の傾斜底面９１Ｂ上を滑落し、開口９６から増量ボウル４５の底壁４５Ｂ上に落下する。
【００５０】
次にモータ８０Ｍの制御回路を、図９を参照して説明する。
前記第１電極４４Ｍと第２電極４４Ｐは、判別回路９７に接続されている。
この判別回路９７は、第１電極４４Ｍと第２電極４４Ｐ間に電流が流れている場合、正常信号を出力し、電流が流れていない場合不足信号を出力する。
【００５１】
モータ駆動回路９８は、判別回路９７から不足信号を受信している間、モータ８０Ｍを駆動する。
なお、直角三角板２２と補助コイン保留体５１は、基板２１上に固定して一体化してある。
基板２１は、コインホッパ２０をゲーム機のフレーム等に固定するためベースである。
また、ゲーム機のコイン投入口に投入されたコインが、ダクト等により増量ボウル４５の上面の開口に導かれるようにしてある。
【００５２】
次に実施例の作用を説明する。
稼働に先立ち、増量ボウル４５の上側の開口からコインを投入し、主ボウル４０のコイン保留部Ｄ及び増量ボウル４５の増量保留部４５Ａに所定量のコインを供給する。
ゲームが始まると、投入されたコインが増量ボウル４５に供給される。
【００５３】
投入コイン量が傾斜回転ディスク３１による送り出し量よりも多い場合、投入コインは増量ボウル４５に山状に堆積する。
そのコインの山からオーバーフローシュート４７の傾斜底板４７Ｂに滑り落ちたコインは、その傾斜底板４７Ｂ上を滑落して下端部４７Ｌから補助コイン保留部５３に滑落する。
これにより、増量ボウル４５からコインが溢れ出るのを防止する。
【００５４】
コイン保留部Ｄのコインは、傾斜回転ディスク３１の回転により攪拌され、整列孔３０を通って傾斜回転ディスク３１裏面側のポケットに達する。
ポケットのコインは、傾斜回転ディスク３１の回転に伴って支持基板２４上面を滑らされてコイン出口（図示せず）から１個ずつ送り出される。
このコインの送り出しに伴って、主ボウル４０内のコインは、底壁４３の傾斜によって傾斜回転ディスク３１側へ自然滑落する。
【００５５】
コインの送り出しによって主ボウル４０内のコイン量が減少した場合、第１電極４４Ｍと第２電極４４Ｐ間にコインを介して電流が流れなくなる。
判別回路９７はこれを検知して不足信号を出力する。
不足信号を受けたモータ駆動回路９８はモータ８０Ｍを回転する。
モータ８０Ｍの回転により、駆動軸８０Ｓが回転されるので駆動ギヤ８１を介してギヤ８３は時計回り方向に回転される。
【００５６】
回転するギヤ８３は、クローラ７０のラック７２を上方へ連続的に移動させる。これにより、クローラ７０は、第１ガイドピン７８Ａ、第２ガイドピン７８Ｂがそれぞれ第１案内溝６０Ａ、第２案内溝６０Ｂにガイドされつつ循環移動する。
【００５７】
クローラ７０の循環移動により、第１ガイドピン７８Ａと第２ガイドピン７８Ｂは回転かご９０の凹部９２Ｃに順次嵌合するので、回転かご９０は軸受９５の回りを反時計回り方向に回転される。
補助コイン保留部５３内のコインは、保留部底壁５１Ｂの傾斜により滑落して補助コイン供給口５１Ｖ、６０Ｖを通って下方水平部７０Ａのクローラ７０内面上に堆積する。
【００５８】
クローラ７０の内面上に載ったコインは、突条７９により周面を引っかけられて傾斜部７０Ｂを押し上げられる。
コインが傾斜部７０Ｂを通過している場合、その傾斜によってコインはクローラ７０側に凭れてクローラ７０から落下することがない。
すなわち、コインの面がクローラ片７１の内面に接触した状態で搬送される。
クローラ７０の第１ガイドピン７８Ａと第２ガイドピン７８Ｂは、傾斜部７０Ｂの上端部において相対する第１支持板９２Ａと第２支持板９２Ｂの凹部９２Ｃにそれぞれ進入する。
【００５９】
したがって、弧状部７０Ｆにおいて、保持空間９４の一面は軸受９５の周面により覆われ、相対する面はクローラ片７１により覆われる。
すなわち、クローラ片７１の突条７９により押し上げられたコインは、第１支持枠９２Ａ、第２支持枠９２Ｂ、仕切板９３、軸受９５、クローラ片７１により６方を囲まれた保持空間９４に保持される。
このコインの保持空間９４への保持は、弧状部７０Ｆにおいて、クローラ片７１が第１係止棒７５Ａ、第２係止棒７５Ｂを支点に折れ曲がってほぼ弧状を呈することにより、軸受９５のほぼ４分の１周に亘って継続する。
【００６０】
これにより、コインは保持空間９４内に保持されて回転かご９０及びクローラ７０の移動と共に軸受９５の周囲を移動する。コインが軸受９５の上部周面を窪ませて形成してあるシュート９１の位置に達した場合、ここで軸受９５の周面が無くなるので、軸受９５の周面で支えられなくなったコインは自重により保持空間９４からシュート９１上に落下する。落下したコインは、傾斜底面９１Ｂ上を滑落して、開口９６から増量ボウル４５の底壁４５Ｂ上に落下する。
【００６１】
コインは、傾斜底面９１Ｂに落下した反動でジャンプすることがあるが、周囲の壁面に阻止されて開口９６へ案内される。
この作用が連続的に行われ、補助コイン保留部５３のコインが、無端帯状コイン搬送装置Ｃにより増量ボウル４５に連続的に供給される。
増量ボウル４５に供給されたコインは、底壁４５Ｂを滑って主ボウル４０に落下するので主ボウル４０内のコイン量が増加し、第１電極４４Ｍと第２電極４４Ｐとがコインにより導通する。
【００６２】
この導通を検出した判別回路９７は、正常信号を出力するので、モータ駆動回路９８はモータ８０Ｍの回転を停止する。
これにより、無端帯状コイン搬送装置Ｃの作動は中止される。
本実施例の回転かご９０とシュート９１とを含む受渡手段Ｅを備える場合、回転ディスク上のコイン量を少量の最適な量に設定し、不足したときに補給することができるので、コインブリッジが発生することがない。
【００６３】
また、回転かご９０と、軸受９５と、クローラ７０とで構成した保持空間９４にコインを保持しつつ搬送してシュート９１へ受け渡すので、６方を囲まれた保持空間９４からコインが落下することがないので、コインの受け渡しが確実に出来る利点がある。
【００６４】
本発明は、本技術思想の範囲内で各種の変更が可能である。
例えば、無端帯状体は、実施例のクローラに代えて平ベルトを用いることができる。
また、実施例の孔付き回転ディスクに代えてピン付き回転ディスクを用いてもよい。
【００６５】
無端帯状コイン搬送装置Ｃ及び受渡装置Ｅは、回転ディスクＡの両側に配置しても良い。
また、回転ディスクと無端帯状コイン搬送装置の駆動モーターを共用にしても良い。
また、回転かごを回転する駆動手段を設け、回転かごによって無端帯状コイン搬送装置を循環移動させてもよい。
なお、主ボウルにコイン量のセンサを設けずに、クローラを常時低速で循環させても良い。
【００６７】
【図面の簡単な説明】
【図１】図１は実施例全体を斜め上方から見た斜視図
【図２】図２は実施例の平面図
【図３】図３は図２のＸ−Ｘ線断面図
【図４】図４は実施例の無端帯状コイン搬送装置と回転かごを分離した状態の斜視図。
【図５】図５は図２のＹ−Ｙ線断面図。
【図６】図６は実施例の無端帯状コイン搬送装置部の拡大図。
【図７】図７は実施例のハウジングを分離した状態の斜視図。
【図８】図８は実施例のクローラの拡大図
【図９】図９は実施例の制御回路
【図１０】図１０は従来装置説明用の断面図
【００６８】
【符号の説明】
回転ディスク            Ａ
無端帯状コイン搬送装置  Ｃ
コイン保留部            Ｄ
受渡装置                Ｅ
コイン量検知装置        ４４
補助コイン保留部        ５３
クローラ                ７０
突条                    ７９
回転かご                ９０
シュート                ９１
傾斜面                  ９１Ｂ
保持空間                ９４
【図１】
0004315270.tif 000002
【図２】
0004315270.tif 000003
【図３】
0004315270.tif 000004
【図４】
0004315270.tif 000005
【図５】
0004315270.tif 000006
【図６】
0004315270.tif 000007
【図７】
0004315270.tif 000008
【図８】
0004315270.tif 000009
【図９】
0004315270.tif 000010
【図１０】
0004315270.tif 000011